(57)【要約】【課題】Ｘ線透視撮影装置の透視及び撮影画像ホールド機能に、ホールド時間を制限するタイマ機能を設け一定時間経過後、画像ホールドを解除することにより、診断情報を必要以外に開示しない。【解決手段】被検体３にＸ線を照射し、前記被検体３の透過Ｘ線を検出し、前記透過Ｘ線を連続的な画像信号に変換し、Ｘ線透視画像を表示するＸ線透視撮影装置において、Ｘ線照射終了時の前記Ｘ線透視画像を記憶させる記憶手段６ｃを備え、前記記憶手段より出力される前記Ｘ線透視画像は時間的制限を与えられて表示させることを特徴とするＸ線透視撮影装置。【選択図】　　　図１
2004064392.tif 000002
【特許請求の範囲】
【請求項１】
被検体にＸ線を照射し、前記被検体の透過Ｘ線を検出し、前記透過Ｘ線を連続的な画像信号に変換し、Ｘ線透視画像を表示するＸ線透視撮影装置において、Ｘ線照射終了時の前記Ｘ線透視画像を記憶させる記憶手段を備え、前記記憶手段より出力される前記Ｘ線透視画像は時間的制限を与えられて表示されることを特徴とするＸ線透視撮影装置。
【発明の詳細な説明】
【０００１】
【発明の属する技術分野】
本発明は、透視診断中のＸ線画像をテレビカメラやＸ線平面センサー等から取り込みモニタに動画表示するとともに、位置決定後撮影を行なうＸ線透視撮影装置に関する。
【０００２】
【従来の技術】
従来技術では、被検体にＸ線を照射するＸ線管球と、このＸ線管球に対向配置され前記被険体の透過Ｘ線を可視光に変換するイメージ・インテンシファイア（以降Ｉ．Ｉ．）と、このＩ．Ｉ．の出力光学像を電気的な画像信号に変換するＴＶカメラと、Ｘ線透視診断時に取りこんだ画像信号を透視モニタに表示するようにしたＸ線透視撮影装置において、前記Ｘ線透視診断のＸ線照射を終了する際、終了直前の画像信号をメモリに記憶し、Ｘ線が遮断されても透視の最終画像を透視モニタに表示し続ける透視画像ホールド（通常この機能はラストイメージホールドという）が実用化されている。特開平９−１２２１１６公報に開示されるように、このホールドされた透視画像は、次の撮影または透視開始または電源遮断及び操作モード切り替え操作を行なうまでホールドされる。
【０００３】
またＸ線撮影時もＩ．Ｉ．に入力される画像を透視モニタで確認する場合があるが、撮影は比較的短時間でＸ線放射が終了し、撮影時に透視モニタに表示される画像を短時間となり画像の確認を行ないにくい。このため、撮影時にＴＶカメラに入力される画像信号をメモリに記憶し、透視モニタにホールド画像として表示することにより、撮影画像に状況を確認でき易くする撮影画像ホールドが、実用化されている。このホールドされた撮影画像も、次の撮影または透視開始または電源遮断及び操作モード切り替え操作を行なうまでホールドされる。
【０００４】
【発明が解決しようとする課題】
従来技術によれば、撮影及び透視のどちらの場合も画像を一旦ホールドすると、次の撮影または透視開始または電源遮断及び操作モード切り替え操作を行なうまで透視モニタに診断画像を表示し続けるため、例えば次の装置使用者に交代する場合等、ホールドされた診断画像が必要以外の人間にも見ることができるため、診断情報の秘密性が守りにくいという問題があった。（この場合診断終了後、操作モード切り替え等の操作を行ないホールドを解除する操作を行なう必要があった。）また、透視モニタに画像を表示し続けられているため、Ｘ線が照射されていると間違われることや、透視モニタのブラウン管の焼きつくという問題点があった。
【０００５】
本発明の目的は、透視撮影のホールドされた診断画像が所定時間後に消去されることを特徴とするＸ線透視撮影装置を提供することにある。
【０００６】
【課題を解決するための手段】
前記課題を解決するため、本発明では被検体にＸ線を照射し、前記被検体の透過Ｘ線を検出し、前記透過Ｘ線を連続的な画像信号に変換し、Ｘ線透視画像を表示するＸ線透視撮影装置において、Ｘ線照射終了時の前記Ｘ線透視画像を記憶させる記憶手段を備え、前記記憶手段より出力される前記Ｘ線透視画像は時間的制限を与えられて表示させることを特徴とするＸ線透視撮影装置を備えた。
【０００７】
［作用］
必要な時間だけホールド画像が表示され、その後画像が消去されるため、診断情報の秘密性が守りにくいという問題を改善できる。透視モニタに画像を表示し続けられているため、Ｘ線が照射されていると間違われることや、透視モニタのブラウン管の焼きつきも最小限にできる。
【０００８】
【発明の実施の形態】
以下に本発明の一実施例を、図面を用いて具体的に説明する。
図１は、本発明の１実施例を示すＸ線透視撮影装置のブロック図である。
図１に示すようにＸ線透視撮影装置は透視及び撮影のＸ線照射の制御と透視ＯＮ／ＯＦＦ信号及び撮影ＯＮ信号を出力するＸ線制御装置（１）と、被検体（３）へＸ線を出力するＸ線管球（２）と、入力されるＸ線を可視光画像に変換して出力するＩ．Ｉ．（４）と、Ｉ．Ｉ．（４）の出力の可視光画像をＸ線テレビカメラの受光面に結像するレンズ（５）と、受光面で検出された光学像を電気的な画像信号に変換し、各種画像処理後モニタに表示可能な画像信号として出力するＸ線テレビカメラ（６）と、出力された画像信号を表示する透視モニタ（７）を備えている。
【０００９】
更にＸ線テレビカメラ（６）は前記受光面に相当し入力された可視光画像をアナログ画像信号に変換するＣＣＤ（６ａ）と、アナログ画像信号をデジタル画像信号に変換するとＡ／Ｄ変換器（６ｂ）と、入力するデジタル画像信号を記憶すると共に出力も可能なメモリ（６ｃ）と、Ｘ側又はＹ側から入力される画像信号の何れかを選択してＺ側に出力する画像切換回路（６ｄ）と、デジタル画像信号を透視モニタ（７）が表示可能な画像信号に変換して出力するＤ／Ａ変換器（６ｅ）と、外部からの制御信号を受けてＸ線テレビカメラ（６）内の動作を制御するカメラ制御回路（６ｆ）と、通常出力がＬｏ信号でカメラ制御回路（６ｆ）からのスタート信号がＨｉからＬｏに変化したとき出力がＨｉになり、設定時間経過後に再びＬｏに戻るタイマ信号をカメラ制御回路（６ｆ）に発するタイマ回路（６ｇ）を備えている。
【００１０】
ここで、図２に本発明による透視時のタイミングチャートを示す。また、図３は本発明による撮影時のタイミングチャートを示す。
【００１１】
Ｘ線透視撮影装置の初期状態は、透視及び撮影が行なわれていない状態であり、Ｘ線管球（２）からＸ線が照射されないため、Ｉ．Ｉ．（４）にＸ線入力が無く、Ｉ．Ｉ．（４）出力もほぼ暗黒（以降ブラックと言う）の状態である。Ｘ線テレビカメラ（６）のＣＣＤ（６ａ）にも入力光が無いため、図２の透視時のタイミングチャートでの初期状態部分に示すように、ＣＣＤ（６ａ）からの画像信号の出力がブラック状態となり、Ａ／Ｄ変換器（６ｂ）からもブラック状態のデジタル画像信号が出力される。このブラック状態の画像信号は、メモリ（６ｃ）と画像切換回路（６ｄ）のＸ側に入力される。
【００１２】
一方Ｘ線制御装置（１）からのカメラ制御回路（６ｆ）への透視ＯＮ／ＯＦＦ信号は透視Ｘ線が出ていない時はＬｏである。カメラ制御回路（６ｆ）は透視ＯＮ／ＯＦＦ信号がＬｏの場合、メモリ（６ｃ）は連続的入力されるデジタル画像信号を、フレーム毎に更新して記憶すると同時に１フレーム遅れた画像信号を出力しており、その出力は画像切換回路（６ｄ）のＹ側に入力される。またこの時カメラ制御回路（６ｆ）からタイマ回路（６ｇ）へはスタート信号はＬｏであり、前記のようにこの場合タイマ回路（６ｇ）からの出力はＬｏである。タイマ信号がＬｏの時カメラ制御回路（６ｆ）は、画像切換回路（６ｄ）に対してはＸ側の入力をＺ側に出力するように信号出力するため、前記Ａ／Ｄ変換器（６ｂ）からのブラック状態の画像信号がＤ／Ａ変換器（６ｅ）から、透視モニタ（７）に出力され、透視モニタ（７）ではブラック画像が表示される。
【００１３】
次に本Ｘ線透視撮影装置の操作者によりＸ線制御装置（１）が操作され透視が開始されると、Ｘ線管球（２）より被検者（３）に向って透視Ｘ線が連続的に照射される。Ｘ線管球（２）からのＸ線は被検者（３）各部のＸ線透過率の差による、Ｘ線画像を構成してＩ．Ｉ．（４）に入力され、更にＩ．Ｉ．（４）で前記Ｘ線量に応じた明るさの可視光画像に変換され出力される。この可視光画像はレンズ（５）により、Ｘ線テレビカメラ（６）のＣＣＤ（６ａ）の受光面に結像され、更にＣＣＤ（６ａ）で電気的なアナログ画像信号に変換される。アナログ画像信号は更にＡ／Ｄ変換器（６ｂ）によりデジタル画像信号に変換され、メモリ（６ｃ）と画像切換回路（６ｄ）のＸ側に入力される。
【００１４】
一方前記Ｘ線管球（２）から透視Ｘ線が照射されるのと同時に、図２の透視Ｘ線の照射中に示すようにＸ線制御装置（１）からＸ線テレビカメラ（６）のカメラ制御回路（６ｆ）への透視Ｘ線ＯＮ／ＯＦＦ信号がＬｏからＨｉになる。この場合でもタイマ信号はＬｏであり、画像切換回路（６ｄ）に対してはＸ側の入力をＺ側に出力するように信号出力するため、前記Ａ／Ｄ変換器（６ｂ）からの入力がＤ／Ａ変換器（６ｅ）に出力されるため、透視モニタ（７）には最新の透視動画像が表示される。また同じように透視ＯＮ／ＯＦＦ信号がＬｏからＨｉに変化しても、メモリ（６ｃ）は連続的入力されるデジタル画像信号を、フレーム毎に更新して記憶すると同時に１フレーム遅れた画像信号を出力しており、透視時画像を記憶しながら、その出力は画像切換回路（６ｄ）のＹ側に出力されている。
【００１５】
次に操作者が透視を停止すると、Ｘ線管球（２）からの透視Ｘ線が停止するため、結果的に前記初期状態と同じく、Ａ／Ｄ変換器（６ｂ）のデジタル画像信号も信号がブラック状態になるが、図２のラストイメージホールド期間のようにＸ線制御装置（１）から透視Ｘ線ＯＮ信号がＨｉからＬｏに変化したとき、実際に透視Ｘ線が遮断される直前にメモリ（６ｃ）の更新を止めることにより、透視時の最終画像がメモリ（６ｃ）に記憶され残される。
【００１６】
同時に透視Ｘ線ＯＮ信号がＨｉからＬｏに変化すると、カメラ制御回路（６ｆ）からのスタート信号もＨｉからＬｏに変化し、タイマ回路（６ｇ）でタイマがスタートすると同時に、タイマ回路（６ｇ）からカメラ制御回路（６ｆ）へのタイマ信号もＨｉになる。タイマ信号がＨｉになると、画像切換回路（６ｄ）でＹ側の入力がＺ側に出力されるよう切換えるため、Ｄ／Ａ変換器（６ｅ）からは前記メモリ（６ｃ）に記憶されている透視Ｘ線照射中の最終画像が出力され、透視モニタ（７）にはこの最終透視動画像が表示される。
【００１７】
前記のようにタイマの設定時間が終了し、タイマ信号がＬｏになると、メモリ（６ｃ）は再び連続的入力されるデジタル画像信号を、フレーム毎に更新して記憶するよう動作する。これによりメモリ（６ｃ）の内容は，図２の初期状態▲２▼に示すようにブラック画像又はその他の最新画像になり、前記記憶されたと透視Ｘ線照射中の最終画像がブラック画像実質的に消去される。また画像切換回路（６ｄ）に対して、カメラ制御回路（６ｆ）はタイマ回路（６ｇ）からのタイマ信号がＬｏの時は、Ｘ側の入力をＺ側に出力するように信号出力するため、Ａ／Ｄ変換器（６ｂ）からのブラック画像信号がＤ／Ａ変換器（６ｅ）でアナログビデオ信号に変換され、透視モニタ（７）に出力される。透視モニタ（７）ではブラック画像が表示され、前記初期状態と同様の状態に戻る。
【００１８】
次に本システムの操作者によりＸ線制御装置（１）が操作され撮影が開始されると、Ｘ線管球（２）より被検者（３）に向って短時間の撮影Ｘ線が照射される。Ｘ線管球（２）からのＸ線は被検者（３）各部のＸ線透過率の差によりＸ線画像を構成して、Ｘ線フイルムに当たり露光し、撮影画像として診断に使用される。一方Ｘ線フイルムを透過したＸ線の一部はＩ．Ｉ．（４）に入力され、透視時と同じようにＩ．Ｉ．（４）でＸ線量に応じた明るさの光学像に変換され出力される。この光学像はレンズ（５）により、Ｘ線テレビカメラ（６）のＣＣＤ（６ａ）受光面に結像される。
【００１９】
前記Ｘ線管球（２）から撮影Ｘ線が照射されるのと同時に、Ｘ線制御装置（１）からカメラ制御回路（６ｆ）に接続される撮影ＯＮ信号がＬｏからＨｉになる。撮影ＯＮ信号がＬｏからＨｉになった場合、カメラ制御回路（６ｆ）からの信号により、ＣＣＤ（６ａ）からの画像読み出しは停止される。また、メモリ（６ｃ）はフレームごとに更新していた画像信号の記憶を停止する。
【００２０】
撮影終了後は図３の撮影信号読み出し期間に示すように、撮影ＯＮ信号がＨｉからＬｏになると、撮影中の画像信号がＣＣＤ（６ａ）から読み出され、Ａ／Ｄ変換器（６ｂ）によりデジタル画像信号に変換される。このデジタル画像信号はメモリ（６ｃ）と画像切換回路（６ｄ）のＸ側に入力され、メモリ回路（６Ｃ）ではこの撮影時のデジタル画像信号を記憶してホールドすると同時に、このホールド画像を繰り返し出力する。その出力は画像切換回路（６ｄ）のＹ側に入力される。
【００２１】
一方撮影ＯＮ信号がＨｉからＬｏになったとき図３の撮影イメージホールド期間に示すように、カメラ制御回路（６ｆ）からの信号によりタイマ回路（６ｇ）でスタート信号がＨｉからＬｏになり、タイマ回路（６ｇ）からカメラ制御回路（６ｆ）へのタイマ信号がＨｉになる。タイマ信号がＨｉになると透視時と同じように画像切換回路（６ｄ）でＹ側の入力がＺ側に出力されるよう切換えるため、Ｄ／Ａ変換器（６ｅ）からはメモリ（６ｃ）に記憶されている撮影時のデジタル画像信号が出力され、透視モニタ（７）には撮影時のデジタル画像信号が表示される。
【００２２】
前記タイマの設定時間が終了すると、図３の初期状態▲２▼に示すようにタイマ信号がＬｏになるため、前記初期状態と同様の状態にもどり、画像切換回路（６ｄ）はＸ側の入力をＺに出力するように信号出力するため、前記Ａ／Ｄ変換器（６ｂ）からのブラック画像信号がＤ／Ａ変換器（６ｅ）でビデオ信号に変換され、透視モニタ（７）に出力される。これにより透視モニタ（７）にはブラック信号が表示される。
【００２３】
上記本実施例より、透視画像取得にタイマ機能を用いることで、透視画像の画像出力が維持される時間を設定され、透視画像が消去されるため、診断情報の秘密性が守られる。また、画像が短時間で消えるため、Ｘ線が照射し続けていると誤認することも無くなる。また、透視モニタのブラウン管の焼きつきも必要最小限にできる。
【００２４】
なお、Ｉ．Ｉ．（４）、レンズ（５）、Ｘ線テレビカメラ（６）でＸ線画像を最終的にビデオ信号に変換し、透視モニタ（７）に表示しているが、Ｘ線フラットセンサ等でＸ線を検出し、ビデオ信号を変換出力し、透視モニタ（７）に出力するＸ線透視撮影装置等でも同様の機能が可能である。
【００２５】
【発明の効果】
本発明によれば本発明が解決しようとする課題である、ホールドされた診断画像が必要以外の人間にも見ることができるため、診断情報の秘密性が守りにくいという問題は、操作者が希望する時間でホールドが解除されるため、解決される。また画像が短時間で消えるため、Ｘ線が照射しつづけていると間違われることもない。また透視モニタのブラウン管の焼きつきも必要最小限にできる。
【図面の簡単な説明】
【図１】本発明の１実施例を示すＸ線透視撮影装置の図である。
【図２】本発明による透視時のタイミングチャートの例である。
【図３】本発明による撮影時のタイミングチャートの例である。
【符号の説明】
１；Ｘ線制御装置、２；Ｘ線管球、３；被検者、４；Ｉ．Ｉ．、５；　レンズ、６；Ｘ線テレビカメラ、６ａ；ＣＣＤ、６ｂ；Ａ／Ｄ変換器、６ｃ；メモリ、６ｄ；画像切換回路、６ｅ；Ｄ／Ａ変換器、６ｆ；カメラ制御回路、６ｇ；タイマ回路、７；透視モニタ
【図１】
2004064392.tif 000003
【図２】
2004064392.tif 000004
【図３】
2004064392.tif 000005